【手続補正書】
【提出日】平成23年12月13日(2011.12.13)
【手続補正１】
【補正対象書類名】特許請求の範囲
【補正対象項目名】全文
【補正方法】変更
【補正の内容】
【特許請求の範囲】
【請求項１】
プロセス制御システム用のレシピ情報を表示するための方法であって、
プロセス制御システムにおいて実行されている、複数の工程フェーズを含むレシピに関連するユーザーインタフェース画面を表示し、
ユーザーインタフェース画面内にレシピのプロセスフローの配置を示す描写形式で複数の工程段階進渉表示を表示し、工程段階進渉表示の各々がレシピの工程フェーズの少なくとも一つを示し、工程段階進渉表示の各々が工程フェーズの各々該当する少なくとも一つの進行状況を示し、
プロセス制御システムから受け取った情報に基づき実質的にリアルタイムで第１の工程段階進渉表示を更新すること、
を含む方法。
【請求項２】
詳細情報表示領域に、工程フェーズの少なくとも一つに対応する詳細情報を表示することを更に含む請求項１に記載の方法。
【請求項３】
第１の工程段階進渉表示に対応する工程フェーズに関連する複数のパラメータからパラメータを選択し、前記パラメータは、複数のパラメータのうちの他のものに対する、ユーザが観察する際の相対的重要度に基づいて選択され、
第１の工程段階進渉表示と関連してパラメータを表示すること、
を更に含む請求項２に記載の方法。
【請求項４】
レシピ進渉状況棒グラフを形成するために第１の工程段階進渉表示に関連する第２の工程段階進渉表示を表示することをさらに含み、
第１の工程段階進渉表示の第１の塗潰し量が、第２の工程段階進渉表示の第２の塗潰し量と連結してレシピの全体的な進渉を表すことを特徴とする、請求項１に記載の方法。
【請求項５】
アラームまたは通知の少なくとも一つを表すために、パターン塗潰しまたは色による塗潰しの少なくとも一つを使用して第１の工程段階進渉表示の少なくとも一部分を塗り潰すことを更に含む請求項４に記載の方法。
【請求項６】
レシピのプロセスフローを示す前記複数の工程段階進渉表示を表示すると同時に、ユーザーインタフェース画面に、第２のレシピのプロセスフローの配置方式を表わすように、第２の複数の工程段階進渉表示を表示することを更に含む、請求項５に記載の方法。
【請求項７】
プロセス制御システム用のレシピ情報を表示するための機器であって、
プロセス制御システムにおいて実行されている、複数の工程フェーズを含むレシピと関連して表示するユーザーインタフェース画面を選択するための画面選択部と、
ユーザーインタフェース画面内にレシピのプロセスフローの配置を示す描写形式にて複数の工程段階進渉表示を表示するためのユーザーインタフェース管理機能であって、工程段階進渉表示の各々がレシピの工程フェーズの少なくとも一つを示し、工程段階進渉表示の各々が工程フェーズの各々該当する少なくとも一つの進行状況を示す、ユーザーインタフェース管理機能と、
プロセス制御システムから受け取った情報に基づいて実質的にリアルタイムで第１の工程段階進渉表示に対して更新済み進捗情報を生成するためのデータプロセッサと、
を備える機器。
【請求項８】
工程フェーズの少なくとも一つに対応する詳細情報を、詳細情報表示領域に表示するために生成する詳細情報生成機構を更に備える、請求項７に記載の機器。
【請求項９】
第１の工程段階進渉表示に対応する工程フェーズに関連する複数のパラメータからパラメータを選択するためのパラメータ選択部を更に備え、
前記パラメータが、複数のパラメータのうちの他のものに対する、ユーザが観察する際の相対的重要度に基づいて選択され、
ユーザーインタフェース管理機能が更に第１の工程段階進渉表示と関連させて前記パラメータを表示することを特徴する、請求項８に記載の機器。
【請求項１０】
ユーザーインタフェース管理機能が更に、レシピ進渉状況棒グラフを形成するために、第１の工程段階進渉表示に関連して第２の工程段階進渉表示を表示し、
第１の工程段階進渉表示の第１の塗潰し量が、第２の工程段階進渉表示の第２の塗潰し量と連結してレシピの全体的な進渉を表すことを特徴とする、請求項９に記載の機器。
【請求項１１】
アラームまたは通知の少なくとも一つの生成するための通知生成機構を更に備え、
ユーザーインタフェース管理機能が更に、アラームまたは通知の少なくとも一つを表すよう、パターン塗潰しまたは色による塗潰しの少なくとも一つを使用して、第１の工程段階進渉表示の少なくとも一部分の塗潰すことを特徴とする、請求項１０に記載の機器。
【請求項１２】
プロセス制御システム用のレシピ情報を表示する方法であって、
複数の工程フェーズを含むレシピに関連する画面を表示し、
前記画面を、複数の要約情報表示領域と詳細情報表示領域を含む１以上の有界表示領域に分割し、
各々がレシピの工程フェーズの少なくとも一つに対応する複数の要約カプセルを生成し、
１以上の要約情報表示領域の各々に要約カプセルの各々を、レシピのプロセスフローを示す配置にて表示し、
詳細情報表示領域においてレシピの工程フェーズの少なくとも一つに対応する詳細情報を表示すること、
を含む方法。
【請求項１３】
ユーザが前記要約情報表示領域の一つを選択したことに応答して前記詳細情報表示領域に詳細情報を表示することを更に含み、
前記詳細情報が、前記選択された要約情報表示領域の一つに対応する工程フェーズの少なくとも一つに対応することを特徴とする、請求項１２に記載の方法。
【請求項１４】
有界表示領域がグリッド状の配置方式または表形式の配置方式で示されることを特徴とする請求項１３に記載の方法。
【請求項１５】
全体的レシピ進渉状況表示領域にレシピの全体的な進捗情報を表示することを更に含む請求項１４に記載の方法。
【請求項１６】
プロセス制御システム用のレシピ情報を表示するための方法であって、
少なくとも一つのプロセス制御システムにおいて実行されている第１および第２のレシピに関連する画面を表示し、
前記画面に、第１のレシピの第１のプロセスフローの配置方式を表わすように第１の複数の工程段階進渉表示を表示し、第２のレシピの第２のプロセスフローの配置方式を表わすように第２の複数の工程段階進渉表示を表示し、第１の工程段階進渉表示の各々が第１のレシピの第１の複数の工程フェーズの少なくとも一つを表し、第２の工程段階進渉表示の各々が第２のレシピの第２の複数の工程フェーズの少なくとも一つを表し、
第１の進渉塗潰し要素を第１の工程段階進渉表示の一つと関連して表示し、第２の工程段階進渉表示の一つと関連して第２の進渉塗潰し要素を表示し、第１の進渉塗潰し要素が第１の工程段階進渉表示の一つに対応する第１のレシピの第１の工程フェーズの少なくとも一つの進渉を示し、第２の進渉塗潰し要素が第２の工程段階進渉表示の一つに対応する第２のレシピの第２の工程フェーズの少なくとも一つの進渉を示すこと、
を含む方法。
【請求項１７】
実質的にリアルタイムで第１および第２の進渉塗潰し要素を更新することを更に含む請求項１６に記載の方法。
【請求項１８】
詳細情報表示領域に、工程フェーズの少なくとも一つに対応する詳細情報を表示することを更に含む請求項１７に記載の方法。
【請求項１９】
アラームまたは通知の少なくとも一つを表すために、パターン塗潰しまたは色による塗潰しの少なくとも一つを使用して、第１の進渉塗潰し要素の少なくとも一部分を塗り潰すことを更に含む請求項１８に記載の方法。
【請求項２０】
第１の工程フェーズの少なくとも一つに関連する複数のパラメータからパラメータを選択し、前記パラメータは、複数のパラメータのうちの他のものに対する、ユーザが観察する際の相対的重要度に基づいて選択され、
第１の工程段階進渉表示と関連させて前記パラメータを表示すること、
を更に含む請求項１９に記載の方法。
【請求項２１】
第１の工程段階進渉表示の各々に、重み付け値を割り当て、
対応する重み付け値の一つに基づいて第１の工程段階進渉表示の各々のサイズを設定すること、
を更に含む請求項２０に記載の方法。